(57)【要約】【課題】抽出時にお湯を含んだ抽出原料の重量でホルダーが撓むことを防止する。【解決手段】バスケット４１に対してタンク１１に収容された水を加熱して供給し、飲料を抽出する飲料抽出機において、バスケット収容部１６は、略半円筒状をなす内壁１７を備え、内壁１７に前向きに突出する受部２０を設け、ホルダー２２は、略半円筒状をなす外装部２３と、外装部２３の下部から後向きに突出するバスケット配設部２８またはバスケット４１とを備え、バスケット配設部２８またはバスケット４１に受部２０の上面に係止する係止リブ３１を設ける。【選択図】図２
2007301293.tif 000002
【特許請求の範囲】
【請求項１】
本体の上部にバスケット収容部を設け、該バスケット収容部にホルダーを垂直方向に延びる回転軸で水平方向に開閉可能に装着し、該ホルダーに抽出原料を収容するバスケットを着脱可能に装着または一体に形成し、該バスケットに対してタンクに収容された水を加熱して供給し、飲料を抽出する飲料抽出機において、
前記バスケット収容部は、略半円筒状をなす内壁を備え、該内壁に前向きに突出する受部を設け、
前記ホルダーは、略半円筒状をなす外装部と、該外装部の下部から後向きに突出するバスケット配設部またはバスケットとを備え、該バスケット配設部またはバスケットに前記受部の上面に係止する係止リブを設けたことを特徴とする飲料抽出機。
【請求項２】
前記受部を、前記内壁において水平方向に延びる幅広に形成したことを特徴とする請求項１に記載の飲料抽出機。
【発明の詳細な説明】
【技術分野】
【０００１】
本発明は、飲料抽出機に関するものである。
【背景技術】
【０００２】
本発明のコーヒーメーカーなどの飲料抽出機に関連する先行技術文献情報としては次のものがある。
【０００３】
【特許文献１】特開２００５−２５３５９３号公報
【特許文献２】特開２００５−１９２５９２号公報
【０００４】
図６に示すように、この特許文献１の飲料抽出機は、水を受け入れる水タンク１と、飲料抽出原料を収容するバスケット２とを備え、該バスケット２の下部に位置するように、抽出した飲料を受け入れる液体容器３を着脱可能に設置している。そして、前記水タンク１には、前記バスケット２の上方に配管される給湯パイプ４が接続され、この給湯パイプ４に加熱手段５を配設することにより、加熱した水を前記バスケット２に給水し、抽出原料から飲料を抽出する構成としている。
【０００５】
また、この特許文献１では、液体容器３をガラス製とするとともに、液体容器３を配設するベース６内に給水パイプ４を迂回させ、該ベース６内に位置するように加熱手段５を配設することにより、飲料抽出後に、液体容器３内の飲料を保温可能に構成している。また、飲料抽出機の外装体において、バスケット収容部７の下部は、ガラス製の液体容器３による保温性能の向上および保護を図るために、取出作業性を阻害しない程度でできるだけ覆うように側壁部８を突設している。そして、その側壁部８の突出による段差８ａを利用し、前記バスケット２を着脱可能に収容するホルダー９の下端縁を載置可能とし、抽出時にお湯を含んだ抽出原料の重量で、ホルダー９が下向きに撓むことを防止している。
【０００６】
しかし、近年では、特許文献２のように、この種の飲料抽出機の液体容器として、断熱性能が高い金属製二重容器を使用したものが提供されている。この液体容器の場合、保温性能の向上および外部からの衝撃による保護は必要ないため、側壁部を突出するように設ける必要はない。
【０００７】
しかしながら、突出する側壁部を設けない場合には、お湯を含んだ抽出原料の重量によってホルダーに撓みが生じるという問題がある。
【発明の開示】
【発明が解決しようとする課題】
【０００８】
本発明は、従来の問題に鑑みてなされたもので、本体にホルダー保持用の段差を設けることなく、抽出時にお湯を含んだ抽出原料の重量でホルダーが撓むことを防止できる飲料抽出機を提供することを課題とするものである。
【課題を解決するための手段】
【０００９】
前記課題を解決するため、本発明の飲料抽出機は、本体の上部にバスケット収容部を設け、該バスケット収容部にホルダーを垂直方向に延びる回転軸で水平方向に開閉可能に装着し、該ホルダーに抽出原料を収容するバスケットを着脱可能に装着または一体に形成し、該バスケットに対してタンクに収容された水を加熱して供給し、飲料を抽出する飲料抽出機において、前記バスケット収容部は、略半円筒状をなす内壁を備え、該内壁に前向きに突出する受部を設け、前記ホルダーは、略半円筒状をなす外装部と、該外装部の下部から後向きに突出するバスケット配設部またはバスケットとを備え、該バスケット配設部またはバスケットに前記受部の上面に係止する係止リブを設けた構成としている。
【００１０】
この飲料抽出機では、前記受部を、前記内壁において水平方向に延びる幅広に形成することが好ましい。
【発明の効果】
【００１１】
本発明の飲料抽出機では、ホルダーのバスケット配設部またはバスケットに、バスケット収容部に設けた受部の上面に係止する係止リブを設けているため、飲料の抽出時にお湯を含んだ抽出原料の重量でホルダーが撓むことを防止できる。その結果。経時的なホルダーの変形も防止でき、製品の外観を損ねることを防止できる。
【００１２】
また、前記受部を水平方向に延びる幅広に形成しているため、抽出時にバスケット収容部内に放出されている湯気が結露して内壁に付着した場合、その結露水が内壁を伝って流れ落ちることを防止できる。
【発明を実施するための最良の形態】
【００１３】
以下、本発明の実施の形態を図面に従って説明する。
【００１４】
図１および図２は、本発明の実施形態に係る飲料抽出機を示す。この飲料抽出機は、側面視略コ字形状をなす抽出機本体１０に保温性能が高い二重容器からなる液体容器５３を着脱可能に配置するものである。
【００１５】
前記抽出機本体１０は、図２中右側に位置する背部に水タンク１１を備えている。この水タンク１１は、上下方向に延びるように設けられており、その上端は、水を受け入れるために開口され、この上端開口が着脱可能な蓋１２によって閉塞されている。
【００１６】
また、抽出機本体１０の下端には、後述するバスケット４１から流出する飲料を受け入れる液体容器５３を着脱可能に配置するベース部１３が前方に突出するように形成されている。さらに、抽出機本体１０の上端には、ベース部１３の上方を覆うように前方に突出するノーズ部１４が形成されている。このノーズ部１４の内部には、バスケット４１内にお湯を均一に散布するための給水部材１５が配設されている。
【００１７】
前記抽出機本体１０の上部において、前記ノーズ部１４の下部にはバスケット収容部１６が設けられ、このバスケット収容部１６にホルダー２２を回転可能に装着するとともに、該ホルダー２２にバスケット４１を着脱可能に装着している。
【００１８】
前記バスケット収容部１６は、図１から図３に示すように、略半円筒状をなす内壁１７を備えている。このバスケット収容部１６は、図３中左右に位置する両端部は、図１に示すように、何ら凹凸がない垂直方向に延びる辺により構成している。また、飲料抽出機本体の外装体において、このバスケット収容部１６の下部は、製品の外観に係るデザイン性、液体容器５３の着脱作業性、および、清掃時の作業性を向上するために、バスケット収容部１６の両端縁より後側（図１中左側）に後退させ、かつ、何ら突出部がない垂直に延びる縁により構成している。
【００１９】
そして、前記バスケット収容部１６において、図３中右側部には、ホルダー２２の回転軸２６を軸着するための軸穴を有する軸受部１８が設けられている。また、この軸受部１８と逆側に位置する図３中左側上端部には、ホルダー２２を閉塞状態に維持するための段部を有する被係止部１９が設けられている。また、前記内壁１７には、前向きに突出する平板状の受部２０が設けられている。この受部２０は、後述するホルダー２２を上面で受けるもので、本実施形態では、水平方向に延びる幅広に形成している。さらに、内壁１７には、ベース部１３に液体容器５３を配設することにより、該液体容器５３の外面に当接してバスケット４１に設けた止水弁４４を開弁させる開弁部材２１が揺動可能に配設されている。
【００２０】
前記ホルダー２２は、図１に示すように、前記バスケット収容部１６の軸受部１８に開閉可能に装着されるもので、前記内壁１７とで略円筒状をなす略半円筒形状の外装部２３と、後述するバスケット４１を着脱可能に配設するバスケット配設部２８とを一体に成形した樹脂製のものである。
【００２１】
前記外装部２３は、抽出機本体１０の外装体とで機器全体の外形ラインを奏するもので、その下部には、後向きに窪む凹部２４が更に設けられている。また、本実施形態では、全体の装飾性を更に向上するために、凹部２４を除く外装部２３の略全面に金属製の装飾板２５が更に配設されている。図４および図５に示すように、この外装部２３において、垂直方向に延びる一端には、該ホルダー２２を水平方向に回転可能とするために、前記軸受部１８に軸着される回転軸２６が垂直方向に延びるように突設されている。また、この回転軸２６と逆側の端縁には、前記被係止部１９に係止する係止部２７ａを有する弾性係止片２７が設けられている。
【００２２】
前記バスケット配設部２８は、外装部２３の下端から後向きに突出し、後述するバスケット４１の下端抽出部４３を露出させる開口部２９を備えたものである。具体的には、このバスケット配設部２８は、平面視略長円形状をなす開口部２９の外周縁から略逆円錐筒形状をなすように上向きに延びる筒状部３０を備えている。言い換えれば、外装部２３と連続するように筒状部３０を設け、この筒状部３０の下端縁により下端抽出部４３を露出させる開口部２９を形成している。この筒状部３０は、バスケット４１の後側の略全体を支持するように延びる後面支持部３０ａと、バスケット４１の前側下部を支持するように延びる前面支持部３０ｂとを有する。
【００２３】
そして、後面支持部３０ａには、半円環状フランジ形状をなすように水平に突出し、前記バスケット収容部１６の受部２０に係止する係止リブ３１が形成されている。これら後面支持部３０ａと係止リブ３１との間には、所定間隔をもって補強リブ３２が設けられている。また、後面支持部３０ａの一部は、前記係止リブ３１にかけて切り欠かれている。さらに、この後面支持部３０ａには、バスケット４１の止水弁４４を開閉させるリンク部材４６を露出するための切欠部３３が設けられるとともに、その縁から補強リブ３４が後向きに突設されている。
【００２４】
また、前面支持部３０ｂは、前記外装部２３の凹部２４による段差より低く、その上端縁には、前向きに延びる上板部３５が設けられているとともに、該上板部３５の前端縁には下向きに延びる外板部３６が設けられている。この外板部３６は、外装部２３との下端と同一高さまで延び、その下端縁と外装部２３の下端縁との間には、これらを連続する底板部３７が設けられている。これら上板部３５、外板部３６および底板部３７は、該筒状部３０の前面支持部３０ｂから外装部２３にかけて下向きに延びる隔壁を構成する。
【００２５】
このように構成したホルダー２２には、外装部２３と隔壁である外板部３６および底板部３７とで囲繞される内部に、第１断熱空間３８が形成される。なお、この第１断熱空間３８は、外装部２３とバスケット４１との間の断熱空間と連通している。また、筒状部３０の前面支持部３０ｂと隔壁である上板部３５および外板部３６とで囲繞される外部に、外板部３６を介して第１断熱空間３８に対して水平方向内側に隣接する第２断熱空間３９が形成される。そして、本実施形態では、上板部３５、外板部３６および底板部３７からなる隔壁および前面支持部３０ｂの中間部に、第１断熱空間３８と開口部２９とを連通させる流通路４０が、その底が前記底板部３７と面一なるように形成されている。
【００２６】
このように形成したホルダー２２は、バスケット４１を支持するために部分的に厚肉になるようなリブを設けるのではなく、開口部２９から略逆円錐筒形状をなすように筒状部３０を設けたものであるため、凹部２４を含む外装部２３に外観を損なうようなヒケが形成されることはない。
【００２７】
前記バスケット４１は、図４に示すように、飲料の抽出原料を収容する断面略逆三角形状もので、その内周面には、抽出原料を収容するフィルター（図示せず）との間に所定空間を形成するための複数のリブ４２が放射状に突設されている。このバスケット４１の下端抽出部４３は開口され、この開口が止水弁４４（図２参照）により閉塞されている。この止水弁４４は、バスケット４１の外周部に略三角形状をなすように取付部４５を突設し、この取付部４５に対して揺動可能に取り付けたＬ字形状のリンク部材４６に対して装着されている。このリンク部材４６は、スプリング４７によって止水弁４４で下端抽出部４３を閉弁するように付勢され、前記開弁部材２１の押圧により開弁するように回転される。さらに、バスケット４１の外周部には、係止リブ３１上の切り欠きに位置するように取出作業用の把持部４８が突設されている。
【００２８】
そして、前記抽出機本体１０の内部には、前記水タンク１１の下部に連続し、迂回してバスケット４１の上方に配管される金属製の給湯パイプ４９が配設されている。この給湯パイプ４９の基部、即ち、水タンク１１の下部の迂回部分には、給湯パイプ４９の内の水を加熱することによる圧力上昇を利用し、お湯を上方のバスケット４１に供給する供給手段の役割をなすヒータ５０が配設されている。このヒータ５０の近傍には、サーモスタットからなる温度センサ５１が配設されている。
【００２９】
前記飲料抽出機は、図１に示す抽出機本体１０の表面に配設したスイッチ５２が操作されると、ヒータ５０がフルパワーで常に１００％の通電率で通電される。そうすると、給湯パイプ４９の下部の水が加熱され、その昇温により内圧が高まると、加熱されたお湯が給水部材１５を介してバスケット４１に供給される。そして、このバスケット４１に供給されたお湯が、バスケット４１内の抽出原料を通過する際に飲料として抽出され、液体容器５３に貯留される。一方、給湯パイプ４９の内部の水が完全に無くなると、異常昇温することにより温度センサ５１であるサーモスタットがオフし、抽出制御を終了する。
【００３０】
一方、本実施形態の液体容器５３は、図２に示すように、金属（ステンレス）製の内筒および外筒からなる二重構造の容器本体５４と、該容器本体５４の上端に配設した肩体５５と、該肩体５５に対して締め付けにより着脱可能に配設した中栓５８とからなる。肩体５５には、外方に向けて先細に突出する注口５６が設けられ、該注口５６の反対側に把手５７が設けられている。中栓５８は、該液体容器５３をベース部１３に装着することにより前記バスケット４１の下部に位置するもので、上面から下面まで延びる飲料貯留用通路５９が設けられるとともに、下端外周部に容器本体５４の内周面との間を密閉するパッキン６０が配設されている。そして、ネジ部による締め付けで、パッキン６０を容器本体５４の段部５４ａに上方から圧接することにより、注出不可能な密閉状態とする一方、緩めてパッキン６０を段部５４ａに圧接を解除することにより、中栓５８の外周部と容器本体５４の内周面とで構成される飲料注出用通路６１を通して注口５６から飲料を注出可能とするものである。
【００３１】
前記飲料抽出機では、飲料の抽出時にバスケット４１に対してお湯が給水されると、お湯を含んだ抽出原料の重量でホルダー２２に対して下向きに力が加わる。しかし、本実施形態では、ホルダー２２のバスケット配設部２８に、バスケット収容部１６の受部２０の上面に係止する係止リブ３１を設けているため、ホルダー２２が撓むことを防止できる。その結果、経時的なホルダー２２の変形も防止でき、デザイン性、着脱作業性および清掃作業性の向上を目的としてバスケット収容部１６の両端縁および下部に何ら突出部がない垂直に延びる縁により構成したにも拘わらず、製品の外観を損ねることを防止できる。
【００３２】
また、飲料の抽出時には、バスケット４１の内部に蒸気が充満しており、その蒸気はノーズ部１４の下面は勿論、内壁１７にも付着する。そして、この内壁１７に付着した結露水は、壁面を伝ってベース部１３に流下するが、水平方向に幅広に形成した前記受部２０により、この問題が生じることも防止できる。
【００３３】
さらに、ホルダー２２の外装部２３とバスケット４１の前面との間には第１断熱空間３８と連続した断熱空間が形成されているため、外気により抽出中の飲料が冷却されることを防止できる。また、この断熱空間中の蒸気が外気により冷却されて結露した場合には、第１断熱空間３８の底板部３７上に滴下し、開口部２９と連通した流通路４０を通して液体容器５３に排水できる。よって、抽出時や清掃時に、ホルダー２２内に残留する結露水で周囲を濡らすことを防止できる。
【００３４】
しかも、ホルダー２２の外部には、前記液体容器５３の肩体５５上に位置する第２断熱空間３９が設けられているため、液体容器５３の飲料貯留用通路５９などから放出された湯気を貯めることができる。そのため、抽出した飲料の湯気がホルダー２２の外装部２３に付着することを防止できる。また、図５に示すように、この第２断熱空間３９は、ホルダー２２の外装部２３との間に第１断熱空間３８が存在するため、外気で湯気が冷やされ、結露して液体容器５３の表面に滴下することを防止できる。そのため、使用時にユーザに不快感を与えることはない。
【００３５】
なお、本発明の飲料抽出機は、前記実施形態の構成に限定されるものではなく、種々の変更が可能である。
【００３６】
例えば、前記実施形態では、バスケット収容部１６に軸穴を有する軸受部１８を設ける一方、ホルダー２２に回転軸２６を設けたが、ホルダー２２に軸受部１８を設ける一方、バスケット収容部１６に軸受部１８を設けてもよい。また、バスケット収容部１６とホルダー２２の両方に軸受部を設け、別体の回転軸により軸着してもよい。
【００３７】
また、前記実施形態では、開閉可能なホルダー２２にバスケット配設部２８を設け、別体のバスケット４１を着脱可能に配設したが、該バスケット４１をホルダー２２に一体に設け、バスケット４１から前記係止リブ３１を突設する構成としてもよい。
【図面の簡単な説明】
【００３８】
【図１】本発明の実施形態に係る飲料抽出機を示す側面図である。
【図２】図１の断面図である。
【図３】ホルダーを開放した状態を示す正面図である。
【図４】ホルダーとバスケットとを示す斜視図である。
【図５】ホルダーの拡大断面図である。
【図６】従来の飲料抽出機を示す断面図である。
【符号の説明】
【００３９】
１０…抽出機本体                    １１…水タンク
１６…バスケット収容部              １７…内壁
１８…軸受部                        １９…被係止部
２０…受部                          ２２…ホルダー
２３…外装部                        ２６…回転軸
２７…弾性係止片                    ２７ａ…係止部
２８…バスケット配設部              ２９…開口部
３０…筒状部                        ３１…係止リブ
３５…上板部（隔壁）                ３６…外板部（隔壁）
３７…底板部（隔壁）                ３８…第１断熱空間
３９…第２断熱空間                  ４０…流通路
４１…バスケット                    ４３…下端抽出部
４４…止水弁                        ４９…給湯パイプ
５０…ヒータ                        ５３…液体容器
【図１】
2007301293.tif 000003
【図２】
2007301293.tif 000004
【図３】
2007301293.tif 000005
【図４】
2007301293.tif 000006
【図５】
2007301293.tif 000007
【図６】
2007301293.tif 000008